(57)【要約】【課題】  商品のコーディネートに係る関連商品についての情報を提供する際の待ち時間を従来に比べ小さくすることができる商品情報提供システムを提供する。【解決手段】  基本となる商品である基本商品についての情報と、その基本商品と関連する商品である関連商品についての情報とを、それぞれの画像情報を含めて記録したメモリ５３を有し、そのメモリ５３の記録内容を無線通信によって出力する商品用タグ５と、商品用タグ５から無線通信によって取得した情報に基づいて基本商品と関連商品についての情報をそれぞれの画像情報を含めて表示する表示装置４とを備えている。  【選択図】            図１
2005267181.tif 000002
【特許請求の範囲】
【請求項１】
基本となる商品である基本商品についての情報と、その基本商品と関連する商品である関連商品についての情報とを、それぞれの画像情報を含めて記録したメモリを有し、そのメモリの記録内容を無線通信によって出力するタグと、
タグから無線通信によって取得した情報に基づいて基本商品と関連商品についての情報をそれぞれの画像情報を含めて表示する表示装置と
を備えることを特徴とする商品情報提供システム。
【請求項２】
前記メモリが強誘電体メモリ（Ferroelectric Random Access Memory）であることを特徴とする請求項１記載の商品情報提供システム。
【請求項３】
前記メモリが書き換え可能な記録媒体であり且つ関連商品の在庫情報を記録し、前記表示装置が在庫情報に応じて関連商品の表示を行うことを特徴とする請求項１又は２記載の商品情報提供システム。
【請求項４】
前記メモリが関連商品についての情報を各商品分類に対して複数重複して記録していて、前記表示装置が利用者の指示に応じて関連商品についての重複した情報のうちのいずれかを商品分類毎に選択して表示するものであることを特徴とする請求項１〜３のいずれか１項記載の商品情報提供システム。
【請求項５】
前記表示装置が、利用者の選択に基づいて、基本となる商品である基本商品についての情報の他に、その基本商品と関連する商品である関連商品についての情報を表示と、前記関連商品についてその他の候補の情報の表示を行なう
ことを特徴とする請求項１〜４のいずれかに記載の商品情報提供システム。
【請求項６】
基本となる商品である基本商品についての情報と、その基本商品と関連する商品である関連商品についての情報とを、それぞれの画像情報を含めて記録したメモリを有し、そのメモリの記録内容を無線通信によって出力するタグを用い、
タグと無線通信で表示手段を有する表示装置によって、タグから無線通信によって取得した情報に基づいて基本商品と関連商品についての情報をそれぞれの画像情報を含めて表示する
ことを特徴とする商品情報提供方法。
【発明の詳細な説明】
【技術分野】
【０００１】
本発明は、衣服等の商品に関する情報を、その商品と組み合わせが適する他の商品の情報とともに提供する際に用いて好適な商品情報提供システム及び方法に関する。
【背景技術】
【０００２】
従来、衣服や装身具等の商品におけるコーディネートに係る情報、すなわち他の商品と色、材質、形等を調和させて組み合わせる際の情報を、コンピュータやネットワークを利用して利用者に提供するための技術が提案されている。特許文献１には、ネットワークを利用してコーディネートに係る情報を利用者に提供するためのシステムが記載されている。特許文献１に記載されているシステムでは、利用者が入力したコーディネート条件に従い、利用者が予め登録しておいた服飾品の情報を参照して、コーディネートに係る条件が決定されるようになっている。
【０００３】
また、特許文献２には、商品に装着した接触通信タグを利用して、服装のコーディネートなどの商品の組み合わせの適合に関する情報を提供するためのシステムが記載されている。このシステムでは、利用者が携帯する時計型携帯機器を用いて、利用者が手にした商品のサイズが合っているかどうか、サイズが合っている場合にはその商品に対するコーディネート商品の情報が、あるいは合っていない場合には合っている商品の場所などが、音声によって報知されるようになっている。
【０００４】
また、特許文献３には、商品情報を提供するためのシステムの種々の構成の概要が記載されている。例えば携帯端末と、商品情報を記録した商品タグを用いて、無線通信によって商品単体の商品情報を提供できるようにしたり、商品情報サーバを用いて過去に購入した商品との組み合わせを確認できるようにしたりするシステムが記載されている。
【特許文献１】特開２００２−３３９１３５号公報
【特許文献２】特開２００４−３０５８号公報
【特許文献３】特開２００２−３５２１２５号公報
【発明の開示】
【発明が解決しようとする課題】
【０００５】
特許文献１に記載されているシステムでは、インターネットを介してコーディネートに係る情報が提供されるようになっているため、情報を通信するためにある程度の時間が必要である。また、特許文献２や特許文献３に記載されているシステムでは、コーディネートに係る情報が、複数の端末とそれらが接続したサーバとを利用して提供されるようになっている。そのため、端末の接続数や、端末、サーバ間の通信に性能によっては、情報を提供するのにある程度の待ち時間が発生することになる。
【０００６】
上述したように従来の商品情報提供システムではコーディネートに係る情報を提供する際に通信等に要する比較的大きな待ち時間が発生する場合がある。この待ち時間は、端末の数、店舗の規模などによっては利便性を損ねる程度に悪化することが考えられる。本発明は、このような事情に鑑みてなされたものであり、商品のコーディネートに係る関連商品についての情報を提供する際の待ち時間を従来に比べ小さくすることができる商品情報提供システム及び方法を提供することを目的とする。
【課題を解決するための手段】
【０００７】
上記課題を解決するため、基本となる商品である基本商品についての情報と、その基本商品と関連する商品である関連商品についての情報とを、それぞれの画像情報を含めて記録したメモリを有し、そのメモリの記録内容を無線通信によって出力するタグと、タグから無線通信によって取得した情報に基づいて基本商品と関連商品についての情報をそれぞれの画像情報を含めて表示する表示装置とを備えることを特徴とする。
【０００８】
この構成によれば、非接触方式で通信可能なタグにあらかじめそのタグが取り付けられている商品とその関連商品との情報が記録されていて、また情報を表示する表示装置がタグと通信を行って商品情報を関連情報とともに表示する。したがって、例えば商品情報を記録したサーバ等と通信を行わなくても、関連商品についての情報を表示することができ、情報を提供するまでの待ち時間を容易に短縮することができる。また関連商品等の情報には画像情報が含まれているので、基本となる商品との組み合わせに係る情報を、分かりやすく表示することができる。
【０００９】
また、本発明は、前記メモリがFerroelectric Random Access Memoryであることを特徴とする。これによれば、メモリを、高速、低消費電力で、書き換え可能なFerroelectric Random Access Memoryとすることができるので、メモリに対して、短時間で多くの情報を非接触で読み出し及び書き込みできるようになる。したがって、容易に、記録する情報量を多くしたり、送受信されるデータの暗号化処理のための時間を確保したりすることができる。
【００１０】
また、本発明は、前記メモリが書き換え可能な記録媒体であり且つ関連商品の在庫情報を記録し、前記表示装置が在庫情報に応じて関連商品の表示を行うことを特徴とする。これによれば、タグのメモリに関連商品の在庫情報が記録されているので、例えば関連商品の在庫がない場合には、その旨を表示したり、あるいはその関連商品に関する情報を表示しないようにしたりすることができる。したがって、表示情報の有用性を高めることができる。
【００１１】
また、本発明は、前記メモリが関連商品についての情報を各商品分類に対して複数重複して記録していて、前記表示装置が利用者の指示に応じて関連商品についての重複した情報のうちのいずれかを商品分類毎に選択して表示するものであることを特徴とする。これによれば、利用者の希望に応じて表示する情報を変更することができるので、希望者の要望により則した形態で情報を提供できるようになる。
【００１２】
前記表示装置が、利用者の選択に基づいて、基本となる商品である基本商品についての情報の他に、その基本商品と関連する商品である関連商品についての情報を表示と、前記関連商品についてその他の候補の情報の表示を行なうことを特徴とする。これにより利用者に様々な商品を見せることができる。
【００１３】
また、本発明は、基本となる商品である基本商品についての情報と、その基本商品と関連する商品である関連商品についての情報とを、それぞれの画像情報を含めて記録したメモリを有し、そのメモリの記録内容を無線通信によって出力するタグを用い、タグと無線通信で表示手段を有する表示装置によって、タグから無線通信によって取得した情報に基づいて基本商品と関連商品についての情報をそれぞれの画像情報を含めて表示することを特徴とする。
【発明を実施するための最良の形態】
【００１４】
以下、図面を参照して本発明の商品情報提供システムの実施の形態について説明する。図１は、本発明の実施の形態の構成を示すブロック図である。図１のシステムは、商品情報管理装置１、リーダライタ２、商品情報データベース３、表示装置４、商品用タグ５、およびＩＣカード（集積回路カード）６から構成されている。ただし、商品情報管理装置１、リーダライタ２、および表示装置４、商品用タグ５、ならびにＩＣカード６は、通常、１店舗内で複数、設置あるいは使用される。
【００１５】
図１における主な構成の外観を図２に示した。リーダライタ２は、複数の商品２１、２１、…を陳列する陳列棚２０の側面に設置されている。表示装置４は、タッチセンサ付きの液晶表示画面を有して構成されていて、陳列棚２０の上部に設置されている。商品用タグ５（図２では商品用タグ５ａ、５ｂ、５ｃ）は、商品２１a、２１、２１、…に取り付けられている。ＩＣカード６は、利用者（顧客）３０によってネックストラップ等を用いて携帯されている。
【００１６】
図１の商品情報管理装置１は、組込用情報処理端末等のコンピュータであって、所定の基本ソフト上で本システム用のプログラムを実行することで商品情報を提供する際に用いる種々の機能を提供する。この商品情報管理装置１は、リーダライタ２と通信線１１で、表示装置４と通信線１２で、そして商品情報データベース３と通信回線１３でそれぞれ接続されている。通信線１１上ではリーダライタ２と商品用タグ５またはＩＣカード６との間で送受信される情報が主に伝送され、通信線１２上では表示装置４で表示される情報や、表示装置４のタッチパネルで入力された情報が入出力される。
【００１７】
リーダライタ２は、ＲＦＩＤタグ（Radio Frequency Identificationタグあるいは無線ＩＣタグ）としての機能を有して構成されている商品用タグ５またはＩＣカード６との間で無線信号による通信を行う。そして、商品情報管理装置１からの指示に従って商品用タグ５またはＩＣカード６のメモリ５３またはメモリ６３にデータを書き込んだり、メモリ５３またはメモリ６３からデータを読み出したりする。
【００１８】
商品情報データベース３は、商品情報管理装置１に通信回線１３を介して接続されていて、複数の商品に関する情報を記憶、管理するデータベースである。図３に示すように、各商品に対応して登録されている情報（商品情報３ａ）は、商品番号、商品名、識別情報、商品仕様、価格情報、陳列位置、画像情報、複数の関連商品分類符号（a）、関連商品分類符号（b）、…、関連商品の各分類a、分類ｂ、…に分類された１または複数の関連商品番号、関連商品番号、…から構成されている。ここで、商品番号は、１または複数の同一商品に対して共通に用いられる通し番号である。識別情報は、各商品２１、２１等に取り付けられてい商品用タグ５（５ａ、５ｂ、５ｃ）に記録された各商品用タグ５固有の識別番号である。商品仕様は、商品のメーカ名、サイズ、形状、色等の商品の内容を示す情報である。価格情報は、その商品の現在の販売価格や過去の価格変更履歴を表す情報である。陳列位置は、店舗内の陳列場所を示す情報であり、例えば図２の陳列棚２０の識別番号や座標情報、図形情報などで表すことができる。画像情報は、商品の外観形状を表す画像情報であり、写真画像のようなラスタイメージデータ、イラスト図のようなベクトルデータ、あるいはそれらの組み合わせによって形成される。
【００１９】
関連商品分類符号（ａ）、（ｂ）、…は、当該商品番号の商品に対して関連する商品の分類を識別する符号情報である。例えば当該商品の商品分類がシャツの場合、それとコーディネートする商品として分類可能な商品分類であるズボン、靴下、靴の各商品分類に対して割り当てられた識別符号が、関連商品分類符号となる。例えばズボンに対しては「ａ」、靴下に対しては「ｂ」、靴に対しては「ｃ」といった各符号が割り当てられる。関連する商品分類は、あらかじめ店舗ごとにあるいは商品のメーカごとに対応付けて登録されているものとする。
【００２０】
関連商品の各分類a、分類ｂ、…に分類された１または複数の関連商品番号、関連商品番号は、当該商品とコーディネートするのに適する関連商品の商品番号を各商品分類符号に対応させてまとめた表す商品番号の一覧情報である。例えば商品分類符号「ａ」（ズボン）において、当該商品とコーディネートするのに適した商品が３種類ある場合には、３つの商品番号が含まれることになる。
【００２１】
また、商品情報データベース３には、図４に示すように、各商品の在庫数の情報３ｂも登録されている。在庫数の情報は、在庫数のほか、在庫あり、無し、在庫僅少といった表現で表すことができる。
【００２２】
図１の商品用タグ５は、商品に取り付けられてタグとして用いられるものである。商品用タグ５は、アンテナ５１、制御装置５２、およびメモリ５３から構成されている。アンテナ５１は、リーダライタ２等と無線信号を送受信するために用いられる。制御装置５２は、アンテナ５１を介して無線信号を送受信するとともに、商品情報管理装置１から当該商品タグ宛て送信されてきた商品情報を受信し、それに基づくデータをメモリ５３に書き込んだり、メモリ５３に記憶されているデータを読み出して無線信号に変換して送信したりする。メモリ５３は、書き換え可能な不揮発メモリであって、各商品用タグ固有の識別情報や、貼り付けられている商品の商品情報を記録する。
【００２３】
図５を参照して、図１の商品用タグ５の構成について詳細に説明する。商品用タグ５は、ループアンテナ等のアンテナ５１と、制御装置５２およびメモリ５３を１つのＩＣとして形成したＩＣ５０１とから構成されている。なお、ＩＣ５０１においては、メモリ５３以外の構成が、制御装置５２に対応するものである。この場合、アンテナ５１に誘導された誘導電磁界を用いて電力伝送と情報伝送が行われる。そして電力伝送によって伝送された電力をコンデンサや二次電池に蓄えたものが内部電源として用いられるようになっている。ただし、着脱可能な一次電池、二次電池、太陽電池等を内部電源として用いるようにしてもよい。
【００２４】
ＩＣ５０１は、高周波回路５１１、電源部５１２、データ復調回路５１３、データ変調回路５１４、データ制御回路５１５、メモリ５３、および暗号処理回路５１６から構成されている。高周波回路５１１は、アンテナ５１で受信した誘導電磁界から得た交流電力を電源部５１２に供給するとともに、所定の周波数の高周波信号をデータ復調回路５１３に出力したり、データ変調回路５１４から入力した変調信号を増幅してアンテナ５１に出力したりする。電源部５１２は、入力された交流電力を所定電圧の直流電源として出力する電源回路、各部にリセット信号を出力するリセット回路、および各部にクロック信号を供給するクロック回路から構成されている。データ復調回路５１３は、高周波回路５１１から入力された高周波信号を復調してデータ信号として出力する。データ変調回路５１４は、入力されたデータ信号で変調された所定の周波数の高周波信号を高周波回路５１１に対して出力する。
【００２５】
データ制御回路５１５は、データ復調回路５１３から出力されたデータ信号を暗号処理回路５１６によって復号化して解釈し、データ信号内の命令に従って、メモリ５３にデータを書き込んだり、メモリ５３からデータを読み出したりする。その際、データ制御回路５１５は、メモリ５３から読み出したデータを暗号処理回路５１６で暗号化した後、データ変調回路５１４に出力する。
【００２６】
メモリ５３は、電気的に書き換え可能な不揮発性メモリであり、特に、不揮発性メモリとしては、例えば、強誘電体メモリであるＦｅＲＡＭ（Ferroelectric Random Access Memory）を用いる。ＦｅＲＡＭは、強誘電体を記憶素子として利用した不揮発メモリであって、フラッシュメモリ等に比べて高集積化が可能で、かつ高速、低消費電力という特徴を有している。したがって、メモリ５３を強誘電体メモリとすることで、短時間で多くの情報を非接触で読み出しおよび書き込みできるようになる。この場合、商品情報に係る処理が短時間で行えるようになるので、容易に、送受信されるデータの暗号化処理のための時間を確保したり、複数の商品用タグ５に対する通信の全体の時間を短くしたりすることができるようになる。
【００２７】
暗号処理回路５１６は、公知の共通鍵暗号化方式等の暗号化方式によってデータ信号の暗号化と復号化を行う。図５の例では、ＩＣ５０１のうち、高周波回路５１１を除く他の回路を１チップ構成としたり、データ制御回路５１５、メモリ５３、および暗号処理回路５１６の３つの回路を１チップ構成としたりすることができる。
【００２８】
次に図６を参照してメモリ５３に記憶されるデータの構成について説明する。メモリ５３には、識別情報５３ａと商品情報５３ｂとが記憶される。識別情報５３ａは各商品用タグ５の固有の情報であって、通常１度書き込んだ後は変更されない。商品情報５３ｂは、商品情報を構成する各種データからなり、データの書き込みを指示する信号が送信されてきた場合に、書き込み先の商品用タグ５を示す識別情報を確認してそれがメモリ５３に記録されている識別情報５３ａと一致した場合にのみ、データの書き込みが許可されるようになっている。図６に示すデータ構成例では、商品情報５３ｂが、基本商品情報５３ｂ１、基本商品画像情報５３ｂ２、関連商品分類（ａ）の情報５３ｂ１１、関連商品分類（ｂ）の情報５３ｂ１２、…から構成されている。
【００２９】
基本商品情報５３ｂ１は、当該商品の商品情報であり、図３に示す商品情報データベース３に登録されているものと同一の商品番号、商品名、商品仕様、価格情報等の情報を含んでいる。基本商品画像情報５３ｂ２、図３に示す画像情報である。関連商品分類（ａ）の情報５３ｂ１１は、関連商品分類の１つ（符号「ａ」）に分類された１または複数の関連商品の情報から構成されている。各関連商品の情報は、商品名、商品仕様、在庫情報、陳列位置情報、および画像情報から構成されている。図６の例では関連商品分類符号「ａ」に対して、関連商品ａ１と関連商品ａ２の２つの情報が含まれている。例えば関連商品分類（ａ）が「ズボン」の場合、関連商品（ａ１）が青色のズボン、関連商品（ａ２）が緑色のズボンといった同一分類で異なる仕様の商品となる。
【００３０】
一方、図１に示すＩＣカード６は、アンテナ６１、制御装置６２、およびメモリ６３から構成されている。制御装置６３は、アンテナ６１を介して無線信号を送受信して、図示していない店舗の受付用コンピュータとそれに接続されたリーダライタ等から当該ＩＣカード６宛てに送信されてきた個人情報を受信し、それに基づくデータをメモリ６３に書き込んだり、メモリ６３に記憶されているデータを読み出して無線信号に変換してリーダライタ２に向けて送信したりする。
【００３１】
ここで図７を参照して、ＩＣカード６の詳細構成について説明する。ＩＣカード６は、ループアンテナ等のアンテナ６１と、制御装置６２およびメモリ６３を１つのＩＣとして形成したＩＣ６０１とから構成されている。なお、ＩＣ６０１において、メモリ６３以外の構成が、制御装置６２に対応するものである。このＩＣカード６では、例えば商品用タグ５と同様に電力伝送を利用して各部に電力が供給される。
【００３２】
ＩＣ６０１は、図５のＩＣ５０１に対応する構成である。ＩＣ６０１は、高周波回路６１１、電源部６１２、データ復調回路６１３、データ変調回路６１４、データ制御回路６１５、メモリ６３、および暗号処理回路６１６から構成されている。これらの構成は、それぞれ図５の高周波回路５１１、電源部５１２、データ復調回路５１３、データ変調回路５１４、データ制御回路５１５、メモリ５３、および暗号処理回路５１６と同様の構成である。ただし、データ制御回路６１５は、メモリ６３またはデータ制御回路６１５内に形成せれた不揮発性メモリに格納されたプログラムに従って各部の制御を行うものであるが、そのプログラムの内容は、商品用タグ５のものとは異なっている。また、電源部６１２は、図５の電源部５１２と同様に、電源回路、リセット回路、およびクロック回路から構成されている。
【００３３】
ここで図８を参照してメモリ６３に記憶されるデータの構成について説明する。メモリ６３には、識別情報６３ａと、個人情報６３ｂとが記憶される。識別情報６３ａは各ＩＣカード６の固有の情報であって、通常１度書き込んだ後は変更されない。個人情報６４ｂｃは、携帯する各個人の体型に関する情報や商品の好みに関する情報を示す各データから構成されている。個人情報６３ｂｃは、データの書き込みを指示する信号が送信されてきた場合に、書き込み先のＩＣカード６を示す識別情報を確認してそれがメモリ６３に記録されている識別情報６３ａと一致した場合にのみ、データの書き込みが許可されるようになっている。
【００３４】
次に図９を参照して、図１および図２に示す表示装置４で商品情報を表示する際の処理について説明する。ただし、この場合、各商品用タグ５には、図６に示すような識別情報５３ａと商品情報５３ｂが書き込まれているものとする。まず、商品情報管理装置１は、リーダライタ２を用いて商品用タグ５の接近の有無を繰り返し検出する（ステップＳ１１）。例えば図２に示すように利用者３０が商品２１ａを手に取り、商品用タグ５ａをリーダライタ２に接近させたとする。リーダライタ２が商品用タグ５ａを検出すると（ステップＳ１１で「Ｙｅｓ」）、商品用タグ５ａから図６に示す当該商品２１ａの基本商品情報５３ｂ１と基本商品画像情報５３ｂ２とが無線通信によって取得される（ステップＳ１２）。
【００３５】
商品情報管理装置１は、リーダライタ２を用いてさらに商品用タグ５ａと無線通信を行い、商品情報５３ｂを参照して、各関連商品分類のうちで在庫がある1番目の関連商品の情報の読み出しを行う（ステップＳ１３）。例えば図６の例で、関連商品ａ１の在庫が無く、関連商品ａ２の在庫があるとすると、関連商品分類ａに対しては、関連商品ａ２の商品名、商品仕様、陳列位置情報、および画像情報が読み出される。ここで、商品情報管理装置１の制御に従って、基本商品情報５３ｂ１、２と関連商品情報５３ｂ１１、５３ｂ１２のうちの所定の情報が表示装置４の画面上に表示される。例えば図２に示すように、当該商品が上着である場合、上着の画像４１、それとコーディネートするのに適するとして登録されているズボンの画像４２、靴下の画像４３、および靴の画像４４と、それらに関する文字情報（Ａ、Ｂ、Ｃ、およびＤ）が表示される。
【００３６】
次に表示装置４の画面上で、関連商品の画像に対する利用者の操作があったかどうかを判定し（ステップＳ１５）、例えばズボンの画像４２が選択された場合、他のズボンを選択するか、またはそのズボンの陳列位置に関する情報を表示するかを利用者に選択してもらうための画面（図示せず）を表示する。そして、他の選択肢の表示が指示された場合には（ステップＳ１６で「他の選択肢表示指示」）、ズボンの商品分類で他の候補が在るときにはその他の候補の商品情報の表示を行う（ステップＳ１７）。一方、陳列位置の表示が指示された場合には（ステップＳ１６で「陳列位置表示指示」）、ズボンの画像４２に対応する商品の陳列位置に関する情報の表示を行う（ステップＳ１８）。
【００３７】
次に、表示装置４における表示の終了条件（例えば表示状態を更新してから所定時間経過したとか、商品用タグ５ａがリーダライタ２から離間してから所定の時間が経過したとか）が成立した場合には、表示を消去して処理を終了する（ステップＳ１９で「Ｙｅｓ」）。条件が成立しない場合には、表示処理を継続する（ステップＳ１９で「Ｎｏ」からステップＳ１５）。
【００３８】
以上の処理によって、商品用タグ５に記憶された基本商品についての情報と、その基本商品と関連する商品である関連商品についての情報とが無線通信によって伝送され、表示装置４においてその基本商品と関連商品についての情報がそれぞれ、画像情報を含めて表示される。この処理では、商品情報データベース３へのアクセスが不要なので、商品情報管理装置１と商品情報データベース３間の通信等による待ち時間による影響を避けることができる。また、商品用タグ５のメモリ５３が、関連商品についての情報を各商品分類に対して複数重複して記録していて、表示装置４が利用者の指示に応じて関連商品についての重複した情報のうちのいずれかを商品分類毎に選択して表示するようにしているので、商品情報データベース３にアクセスすることなく、より自由度の高いコーディネート情報を表示することができる。
【００３９】
なお、上記の処理例の説明では、利用者３０が携帯するＩＣカード６の情報を使用する場合を説明していないが、コーディネート対象となる情報を表示する際に、ＩＣカード６に記録されている個人情報６３ｂを無線通信によって参照することで、関連商品の限定や選択を自動的に行うような処理を採用することができる。
【００４０】
また、本発明の実施の形態は、上記のものに限定されず、各構成要素を分散したり、統合したり、他の構成を追加したりすることが可能である。例えば、表示装置４に加え、音声合成装置とスピーカを追加することで音声によるコーディネート情報の報知を行えるようにしたり、より詳細な情報を利用者が求めた場合には、商品情報データンベース２にアクセスして得た商品情報を表示装置４に表示するための構成を設けたりすることができる。
【図面の簡単な説明】
【００４１】
【図１】本発明の商品情報提供システムの実施の形態の構成を示すブロック図。
【図２】図１に示す実施の形態の構成要素の外観を示す図。
【図３】図１の商品情報データベース３のデータ構成を示す図。
【図４】図１の商品情報データベース３のデータ構成を示す図。
【図５】図１の商品用タグ５の構成を示すブロック図。
【図６】図５のメモリ５３の構成を示す図。
【図７】図１のＩＣカード６の構成を示すブロック図。
【図８】図７のメモリ６３の構成を示す図。
【図９】図１の表示装置４での表示処理の内容を示すフローチャート。
【符号の説明】
【００４２】
１  商品情報管理装置、２  リーダライタ、３  商品情報データベース、４  表示装置、５  商品用タグ、６  ＩＣカード、５３  メモリ、６３  メモリ、５３ａ  識別情報、５３ｂ  商品情報
【図１】
2005267181.tif 000003
【図２】
2005267181.tif 000004
【図３】
2005267181.tif 000005
【図４】
2005267181.tif 000006
【図５】
2005267181.tif 000007
【図６】
2005267181.tif 000008
【図７】
2005267181.tif 000009
【図８】
2005267181.tif 000010
【図９】
2005267181.tif 000011